(57)【要約】    【課題】  収納袋において、容易に折り畳むことができるとともに、前面及び後面に折り曲げ部が形成されずに前面及び後面の平坦を確保すること。    【解決手段】  本発明では、少なくとも前面、後面、左側面、右側面、底面を有する矩形状の収納袋において、後面の上端縁にマチ片を連設するとともに、左右側面の中央上端部から中途部に縦方向の谷折部を形成し、左右側面の中央下端部から中途部に縦方向の山折部を形成し、左右側面の前後下端部から中途部に斜め方向の谷折部を形成し、底面の左右中央部間に横方向の谷折部を形成することにした。特に、前後面、左右側面、底面は、半透明性の緩衝性素材からなることにした。【選択図】      図２
2006160294.tif 000002
【特許請求の範囲】
【請求項１】
少なくとも前面、後面、左側面、右側面、底面を有する矩形状の収納袋において、
後面の上端縁にマチ片を連設するとともに、左右側面の中央上端部から中途部に縦方向の谷折部を形成し、左右側面の中央下端部から中途部に縦方向の山折部を形成し、左右側面の前後下端部から中途部に斜め方向の谷折部を形成し、底面の左右中央部間に横方向の谷折部を形成したことを特徴とする収納袋。
【請求項２】
前記底面の上部に底板を配設するとともに、収納袋を折り畳んだ状態では前記底面と後面との間に前記底板を位置させたことを特徴とする請求項１に記載の収納袋。
【請求項３】
前記底板は、前記底面の後半部分に貼着して、収納袋を折り畳んだ状態から開口した状態にすると同時に前記底面と後面との間の位置から前記底面の上部に自動的に移動するようにしたことを特徴とする請求項２に記載の収納袋。
【請求項４】
前記後面の表面側であって前記底板と対応する位置にラベル貼着領域を形成したことを特徴とする請求項２又は請求項３に記載の収納袋。
【請求項５】
少なくとも前記前後面、左右側面、底面は、緩衝性素材からなることを特徴とする請求項１から請求項４のいずれかに記載の収納袋。
【請求項６】
少なくとも前記前後面、左右側面、底面は、半透明素材からなることを特徴とする請求項１から請求項５のいずれかに記載の収納袋。
【発明の詳細な説明】
【技術分野】
【０００１】
本発明は、収納袋に関するものであり、少なくとも前面、後面、左側面、右側面、底面を有する矩形状の収納袋に関するものである。
【背景技術】
【０００２】
従来より荷物の搬送のために、少なくとも前面、後面、左側面、右側面、底面を有する矩形状の収納袋が広く使用されている。
【０００３】
従来の収納袋は、内部に荷物を収納した使用状態においては、上部に開口部を形成した矩形状の袋となっているが、未使用状態においては、左右側面を折り畳むことによって略平板状の形態としている。
【０００４】
すなわち、図16に示すように、従来の収納袋101では、左右側面102,103を内側に折り曲げるとともに、前面104の中途部で谷折に折り曲げて前面104に底面105を密接させて、全体として略平板状となるようにしていた（たとえば、特許文献１参照。）。
【特許文献１】特開２００３−１４４２１６号公報
【発明の開示】
【発明が解決しようとする課題】
【０００５】
ところが、上記従来の収納袋101では、前面104の中途部で谷折に折り曲げて前面104に底面105を密接させることによって全体を略平板状の形態となるようにしていたために、図17に示すように、使用状態において前面104の中途部に横方向の谷折部106が形成されていた。
【０００６】
このように、収納袋101の前面104に横方向の谷折部106が形成されてしまうと、前面104に折癖が付いてしまい、前面104の平坦が確保されず、紙片である荷札を良好に貼着することができないといった機能上の問題が生じるとともに、前面104に印刷した文字が歪んでしまうといった外観上の問題が生じていた。
【課題を解決するための手段】
【０００７】
そこで、請求項１に係る本発明では、少なくとも前面、後面、左側面、右側面、底面を有する矩形状の収納袋において、後面の上端縁にマチ片を連設するとともに、左右側面の中央上端部から中途部に縦方向の谷折部を形成し、左右側面の中央下端部から中途部に縦方向の山折部を形成し、左右側面の前後下端部から中途部に斜め方向の谷折部を形成し、底面の左右中央部間に横方向の谷折部を形成することにした。
【０００８】
また、請求項２に係る本発明では、前記請求項１に係る本発明において、前記底面の上部に底板を配設するとともに、収納袋を折り畳んだ状態では前記底面と後面との間に前記底板を位置させることにした。
【０００９】
また、請求項３に係る本発明では、前記請求項２に係る本発明において、前記底板は、前記底面の後半部分に貼着して、収納袋を折り畳んだ状態から開口した状態にすると同時に前記底面と後面との間の位置から前記底面の上部に自動的に移動するようにした。
【００１０】
また、請求項４に係る本発明では、前記請求項２又は請求項３に係る本発明において、前記後面の表面側であって前記底板と対応する位置にラベル貼着領域を形成することにした。
【００１１】
また、請求項５に係る本発明では、前記請求項１から請求項４のいずれかに係る本発明において、少なくとも前記前後面、左右側面、底面は、緩衝性素材からなることにした。
【００１２】
また、請求項６に係る本発明では、前記請求項１から請求項５のいずれかに係る本発明において、少なくとも前記前後面、左右側面、底面は、半透明素材からなることにした。
【発明の効果】
【００１３】
そして、本発明では、以下に記載する効果を奏する。
【００１４】
すなわち、請求項１に係る本発明では、少なくとも前面、後面、左側面、右側面、底面を有する矩形状の収納袋において、後面の上端縁にマチ片を連設するとともに、左右側面の中央上端部から中途部に縦方向の谷折部を形成し、左右側面の中央下端部から中途部に縦方向の山折部を形成し、左右側面の前後下端部から中途部に斜め方向の谷折部を形成し、底面の左右中央部間に横方向の谷折部を形成することにしているために、左右側面と底面とを内側に向けて同時に容易に折り畳むことができ、しかも、前面及び後面に折り曲げ部が形成されずに前面及び後面の平坦を確保することができる。
【００１５】
また、請求項２に係る本発明では、底面の上部に底板を配設するとともに、収納袋を折り畳んだ状態では底面と後面との間に底板を位置させているために、底板の強度の作用によって収納袋が折り畳んだ状態で上下に折れ曲がってしまうのを防止することができる。
【００１６】
また、請求項３に係る本発明では、底板を底面の後半部分に貼着して、収納袋を折り畳んだ状態から開口した状態にすると同時に底面と後面との間の位置から底面の上部に自動的に移動するようにしているため、収納袋を開口するだけで底板が所定の位置に移動することになり、直ちに収納袋の内部に収納物を収納することができ、収納袋の使い勝手を向上させることができる。
【００１７】
また、請求項４に係る本発明では、後面の表面側であって底板と対応する位置にラベル貼着領域を形成しているために、底板の平坦性の作用によって収納袋を折り畳んだ状態においてラベル貼着領域の平坦性を確保することができて、後面のラベル貼着領域にラベルを良好に貼着することができるとともに、貼着後にラベルに所要事項を良好に記載することができる。
【００１８】
また、請求項５に係る本発明では、少なくとも前後面、左右側面、底面を緩衝性素材で形成しているために、緩衝性に優れた収納袋とすることができ、内部に収納した収納物の損傷を未然に防止することができる。
【００１９】
また、請求項６に係る本発明では、少なくとも前後面、左右側面、底面を半透明素材で形成しているために、内部に収納した収納物を外部から直接的に目視することができず、内部に収納した収納物の秘密性を確保することができるとともに、内部に収納物が収納されているか否かの判断を容易に行うことができる。
【発明を実施するための最良の形態】
【００２０】
本発明に係る収納袋は、少なくとも前面、後面、左側面、右側面、底面を有する矩形状の収納袋であって、内部に収納物を収納した使用状態においては、上部に開口部を形成した矩形状の袋となっており、一方、未使用状態においては、左右側面及び底面を折り畳むことによって略平板状の形態となっている。
【００２１】
しかも、収納袋は、左右側面の中央上端部から中途部に縦方向の谷折部を形成するとともに、左右側面の中央下端部から中途部に縦方向の山折部を形成し、左右側面の前後下端部から中途部に斜め方向の谷折部を形成し、さらには、底面の左右中央部間に横方向の谷折部を形成している。
【００２２】
そして、収納袋は、左右側面に形成した谷折部や山折部と底面に形成した谷折部とに沿って左右側面と底面とを内側に向けて同時かつ容易に折り畳むことができる。
【００２３】
しかも、収納袋は、略平板状に折り畳んだ状態では、前面及び後面に折り曲げ部が形成されないため、使用状態においてもこれらの前面及び後面の平坦を確保することができる。
【００２４】
そのため、収納袋の前面又は後面に紙片である荷札を良好に貼着することができるとともに、前面又は後面に印刷した文字が歪んでしまうことがなくなり、印刷した文字を良好に表示することができる。
【００２５】
また、収納袋は、後面の上端縁にマチ片を連設しており、このマチ片を前面の上端部に貼着することによって、内部を密封することができるようになっている。
【００２６】
特に、底面の上部に底板を配設するとともに、収納袋を折り畳んだ状態では底面と後面との間に底板を位置させた場合には、底板の強度の作用によって収納袋が折り畳んだ状態で上下に折れ曲がってしまうのを防止することができる。
【００２７】
また、底板を底面の後半部分に貼着して、収納袋を折り畳んだ状態から開口した状態にすると同時に底面と後面との間の位置から底面の上部に自動的に移動するようにした場合には、収納袋を開口するだけで底板が所定の位置に移動することになり、直ちに収納袋の内部に収納物を収納することができ、収納袋の使い勝手を向上させることができる。
【００２８】
また、後面の表面側であって底板と対応する位置にラベル貼着領域を形成した場合には、底板の平坦性の作用によって収納袋を折り畳んだ状態においてラベル貼着領域の平坦性を確保することができて、後面のラベル貼着領域にラベルを良好に貼着することができるとともに、貼着後にラベルに所要事項を良好に記載することができる。
【００２９】
また、少なくとも前後面、左右側面、底面を緩衝性素材で形成した場合には、緩衝性に優れた収納袋とすることができ、内部に収納した収納物の損傷を未然に防止することができる。
【００３０】
また、少なくとも前後面、左右側面、底面を半透明素材で形成した場合には、内部に収納した収納物を外部から直接的に目視することができず、内部に収納した収納物の秘密性を確保することができるとともに、内部に収納物が収納されているか否かの判断を容易に行うことができる。
【００３１】
以下に、本発明に係る収納袋の具体的な構造について図面を参照しながら説明する。
【００３２】
本発明に係る収納袋１は、図１に示すように、横長矩形状の前面２及び後面３と縦長矩形状の左側面４及び右側面５と横長矩形状の底面６とを有して、上端部に横長矩形状の開口部７を有する矩形箱型となっている。
【００３３】
そのため、収納袋１は、上端部の開口部７から内部に収納物を容易に収納することができるようになっている。
【００３４】
また、収納袋１は、後面の上端縁に横長矩形状のマチ片８を連設している。
【００３５】
この収納袋１の左右側面4,5には、中央上端部aから中途部ｂに縦方向の直線状の谷折部９を形成し、中央下端部ｃから中途部ｂに縦方向の直線状の山折部10を形成し、前後下端部d,eから中途部ｂに斜め方向の直線状の谷折部11,12をそれぞれ形成している。
【００３６】
また、収納袋１の底面６の左右中央部c,c’の間に横方向の直線状の谷折部13を形成している。
【００３７】
なお、収納袋１は、各面2〜6及びマチ片８の連設部分を直線状の山折部14〜22としている。
【００３８】
このように折り曲げ部を形成した収納袋１は、各折り曲げ部9〜22の山折又は谷折の折癖によって、内部に収納物を収納してマチ片８を前面２の上端縁部に貼着した使用状態では、図２〜図７に示すように、横置き三角柱状の形態となり、図８及び図９に示すように、内部に断面三角形状の収納空間23が形成される。
【００３９】
そのため、収納袋１は、サイズが大きく重量の収納物からサイズが小さく軽量の収納物の順に収納していくことによって、低重心の搬送荷物とすることができ、安定して載置したり搬送することができるようになり、また、上端部分を摘んで搬送することができ、容易に搬送することができる。
【００４０】
また、収納袋１は、未使用状態では、図10に示すように、左右側面4,5及び底面６が内側に向けて折り曲げられて板状の形態となる。
【００４１】
すなわち、収納袋１は、左右側面4,5に形成した谷折部9,11,12や山折部10と底面に形成した谷折部13とに沿って左右側面4,5と底面６とを内側に向けて同時かつ容易に折り畳むことができる。
【００４２】
これにより、収納袋１は、略平板状に折り畳んだ状態では前面２及び後面３に折り曲げ部が形成されないため、使用状態においてもこれらの前面２及び後面３の平坦を確保することができ、収納袋１の前面２又は後面３に紙片である荷札を良好に貼着することができるとともに、前面２又は後面３に印刷した文字が歪んでしまうことがなくなり、印刷した文字を良好に表示することができる。
【００４３】
この収納袋１の各面2〜6及びマチ片８は、図11に示すように、２枚の半透明のエアークッション24,25をクッション部26,27を対向させるとともに、一方のクッション部26同士の間に他方のクッション部27が嵌まり込むようにして張り合わせた緩衝性素材で形成している。
【００４４】
このように、収納袋１は、各面2〜6及びマチ片８のうちの少なくとも前後面2,3と左右側面4,5と底面６とを緩衝性素材で形成しているために、緩衝性に優れた袋となっており、収納袋１を多少煩雑に扱ったとしても、内部に収納した収納物の損傷を未然に防止することができる。
【００４５】
また、収納袋１は、各面2〜6及びマチ片８のうちの少なくとも前後面2,3、左右側面4,5、底面６を半透明素材で形成しているために、内部に収納した収納物を外部から直接的に目視することができず、内部に収納した収納物の秘密性を確保することができるとともに、内部に収納物が収納されているか否かの判断を容易に行うことができる。
【００４６】
さらに、収納袋１は、図12〜図15に示すように、収納袋１を折り畳んだ状態では底面６と後面３との間に位置するように底面６の上部に底板28を配設することもできる。
【００４７】
この底板は、底面６の後半部分に貼着しておけば、収納袋１を折り畳んだ状態（図12参照）から開口した状態（図13参照）にすると同時に底面６と後面３との間の位置から底面６の上部に自動的に移動するようになる。
【００４８】
このように、底面６の上部に底板28を配設するとともに、収納袋１を折り畳んだ状態では底面６と後面３との間に底板28を位置させることによって、底板28の強度の作用によって収納袋１が折り畳んだ状態で上下に折れ曲がってしまうのを防止することができる。これは、底面６と後面３とを略同一サイズとし、底板28をも略同一サイズとした場合には、収納袋１を折り畳んだ状態で前後面3,4の間に底板28が敷詰められることになって、収納袋１の折れ曲がりを完全に防止することができる。
【００４９】
そして、収納袋１を折り畳んだ状態で上下の折れ曲がりを防止することができるために、収納袋１の使用状態において外観に見苦しい折れ線が露出することがなくなり、収納袋１の商品価値を向上させることができる。
【００５０】
しかも、底板28を底面６の後半部分に貼着して、収納袋１を折り畳んだ状態から開口した状態にするとことによって、同時に底面６と後面３との間の位置から底面６の上部に自動的に底板28が移動するようにした場合には、収納袋１を開口するだけで底板28が所定の位置に移動することになり、直ちに収納袋１の内部に収納物を収納することができ、収納袋１の使い勝手を向上させることができる。
【００５１】
また、収納袋１は、後面３の表面側であって底板28と対応する位置に矩形状のラベル貼着領域29を形成し、このラベル形成領域29に搬送用のラベル30を貼着するようにしてもよい。
【００５２】
このように、後面３の表面側であって底板28と対応する位置にラベル貼着領域29を形成することによって、底板28の平坦性の作用によって収納袋１を折り畳んだ状態においてラベル貼着領域29の平坦性を確保することができて、後面３のラベル貼着領域29にラベル30を良好に貼着することができるとともに、底板28が下敷き代わりの役目をするので、貼着後にラベル30に所要事項を良好に記載することができる。
【図面の簡単な説明】
【００５３】
【図１】本発明に係る収納袋を示す斜視図。
【図２】収納袋の使用状態を示す斜視図。
【図３】同正面図。
【図４】同背面図。
【図５】同左側面図。
【図６】同平面図。
【図７】同底面図。
【図８】図３のＡ−Ａ端面図。
【図９】図５のＢ−Ｂ端面図。
【図１０】収納袋の未使用状態を示す側面図。
【図１１】収納袋の拡大断面図。
【図１２】底板を有する収納袋（折り畳んだ状態）の断面図。
【図１３】底板を有する収納袋（開口した状態）の断面図。
【図１４】底板を有する収納袋（使用状態）の断面図。
【図１５】底板を有する収納袋（使用状態）の斜視図。
【図１６】従来の収納袋の未使用状態を示す斜視図。
【図１７】同使用状態を示す正面図。
【符号の説明】
【００５４】
１  収納袋
２  前面
３  後面
４  左側面
５  右側面
６  底面
７  開口部
８  マチ片
9,11,12,13  谷折部
10,14〜22  山折部
23  収納空間
24,25  エアークッション
26,27  クッション部
28  底板
29  ラベル形成領域
30  ラベル
【図１】
2006160294.tif 000003
【図２】
2006160294.tif 000004
【図３】
2006160294.tif 000005
【図４】
2006160294.tif 000006
【図５】
2006160294.tif 000007
【図６】
2006160294.tif 000008
【図７】
2006160294.tif 000009
【図８】
2006160294.tif 000010
【図９】
2006160294.tif 000011
【図１０】
2006160294.tif 000012
【図１１】
2006160294.tif 000013
【図１２】
2006160294.tif 000014
【図１３】
2006160294.tif 000015
【図１４】
2006160294.tif 000016
【図１５】
2006160294.tif 000017
【図１６】
2006160294.tif 000018
【図１７】
2006160294.tif 000019